(57)【要約】【課題】ＴＴＬ位相差方式とコントラスト方式の二方式のＡＦが実行可能である一眼レフタイプのデジタルカメラにおいて、コントラスト方式における誤測距の可能性を減少させる。【解決手段】位相差方式とコントラスト方式の二方式のオートフォーカスが実行可能である一眼レフタイプのデジタルカメラにおいて、ＴＴＬ位相差方式オートフォーカスの実行後に、コントラスト方式オートフォーカス用に白飛びしない露出決定を行う。【選択図】      図３
2007171298.tif 000002
【特許請求の範囲】
【請求項１】
撮影レンズにより結像された被写体像を光電変換して画像信号を出力する撮像素子と、
前記被写体像を２つの像に分割するための光学系により分割された前記２つの像の位相差に基づいて、前記撮影レンズを合焦位置に調節する第１のオートフォーカス手段と、
前記撮像素子から出力される画像信号のコントラストに基づいて、前記撮影レンズを合焦位置に調節する第２のオートフォーカス手段と、
前記撮像素子により撮影を行なうための前記撮像素子の露光条件である第１の露光条件を設定する第１の露光条件設定手段と、
前記第２のオートフォーカス手段によりオートフォーカスを行なうための前記撮像素子の露光条件である第２の露光条件を設定する第２の露光条件設定手段と、
前記第１のオートフォーカス手段により前記撮影レンズを合焦位置に調節した後に、前記第２の露光条件設定手段により設定された第２の露光条件により前記撮像素子を露光して前記第２のオートフォーカス手段によるオートフォーカス動作を行なうように、前記第１のオートフォーカス手段と前記第２のオートフォーカス手段を制御する制御手段と、
を具備することを特徴とする撮像装置。
【請求項２】
前記第２の露光条件設定手段は、前記撮像素子から出力される画像信号のハイライト部分の信号レベルが予め定められた値を超えないように前記第２の露光条件を設定することを特徴とする請求項１に記載の撮像装置。
【請求項３】
前記制御手段は、前記第２のオートフォーカス手段によりオートフォーカス動作を行なった後に、前記撮像素子に前記第１の露光条件で撮影用の露光を行わせることを特徴とする請求項１に記載の撮像装置。
【請求項４】
撮影レンズにより結像された被写体像を光電変換して画像信号を出力する撮像素子と、前記被写体像を２つの像に分割するための光学系により分割された前記２つの像の位相差に基づいて、前記撮影レンズを合焦位置に調節する第１のオートフォーカス手段と、前記撮像素子から出力される画像信号のコントラストに基づいて、前記撮影レンズを合焦位置に調節する第２のオートフォーカス手段と、前記撮像素子により撮影を行なうための前記撮像素子の露光条件である第１の露光条件を設定する第１の露光条件設定手段と、前記第２のオートフォーカス手段によりオートフォーカスを行なうための前記撮像素子の露光条件である第２の露光条件を設定する第２の露光条件設定手段とを備える撮像装置を制御する方法であって、
前記第１のオートフォーカス手段により前記撮影レンズを合焦位置に調節した後に、前記第２の露光条件設定手段により設定された第２の露光条件により前記撮像素子を露光して前記第２のオートフォーカス手段によるオートフォーカス動作を行なうように、前記第１のオートフォーカス手段と前記第２のオートフォーカス手段を制御する制御工程を具備することを特徴とする撮像装置の制御方法。
【請求項５】
前記第２の露光条件設定手段は、前記撮像素子から出力される画像信号のハイライト部分の信号レベルが予め定められた値を超えないように前記第２の露光条件を設定することを特徴とする請求項４に記載の撮像装置の制御方法。
【請求項６】
前記制御工程では、前記第２のオートフォーカス手段によりオートフォーカス動作を行なった後に、前記撮像素子に前記第１の露光条件で撮影用の露光を行わせることを特徴とする請求項４に記載の撮像装置の制御方法。
【請求項７】
請求項４乃至６のいずれか１項に記載の制御方法をコンピュータに実行させることを特徴とするプログラム。
【請求項８】
請求項７に記載のプログラムを記憶したことを特徴とするコンピュータ読み取り可能な記憶媒体。
【発明の詳細な説明】
【技術分野】
【０００１】
本発明は、デジタルカメラ等の撮像装置におけるオートフォーカス技術に関するものである。
【背景技術】
【０００２】
従来の銀塩フィルムを使用する一眼レフカメラや昨今のデジタル方式の一眼レフカメラにおいては、オートフォーカス（以下、単にＡＦとも呼ぶ）を行うためにＴＴＬ(Through The Lens)位相差方式と呼ばれる技術が適用されている。ＴＴＬ位相差方式のオートフォーカス機構においては、撮影レンズの異なった部分を通過した光束による複数の被写体像を、ラインセンサを備えた位相差検出センサ上に結像させる。そして、そのときの像間距離（位相差）に基づいて撮像面と合焦位置とのずれ量を算出することができる。ラインセンサは、ＣＣＤ（Charge Coupled Device）やＣＭＯＳ(Complimentary Metal Oxide Semiconductor)あるいはそれに類する光電変換素子を直線状に配置して構成される。そのため、レンズを求められたずれ量に応じて一度駆動するだけで、撮像面を合焦位置に一致させることができる。ＴＴＬ位相差方式のＡＦについては、たとえば特許文献１に詳細に述べられている。
【０００３】
しかしながら、位相差検出センサは撮像面と光学上等価な位置に配置されるが、位相差検出センサの位置精度は、センサの取り付け誤差やボディーやレンズの製造誤差等、様々な要因の影響を受ける。そのため、ＴＴＬ位相差方式で検出される合焦位置をフィルムや撮像素子などの実際の撮像面と完全に一致させることは困難である。
【０００４】
他方、ビデオカメラやデジタルコンパクトカメラでは、いわゆるコントラスト方式と呼ばれる技術（または山登り方式、ＴＶ−ＡＦ方式とも呼ばれる）がオートフォーカスを行うために適用されている。このコントラスト方式は、撮像レンズに含まれるフォーカシングレンズ、または撮像素子を光軸方向に駆動させつつ各駆動段階で得られる撮像画像のコントラストを評価値として取得し、最も評価値の高いレンズ位置をもって合焦位置とする方式である。コントラスト方式のＡＦについては、たとえば特許文献２に詳細に述べられている。
【０００５】
コントラスト方式は、実際の撮像面でＡＦを行うため、ＡＦによる合焦位置と撮像面位置を一致させることが出来る。しかし、評価値の取得のために、フォーカシングレンズや撮像素子を微少量ずつ何度も駆動する必要があり、ＴＴＬ位相差方式に比べて合焦までの時間が掛かるという問題がある。また、レンズや撮像素子を駆動しないと合焦方向が判別できない、合焦位置が撮像面と大きく外れた状態（いわゆる大ボケ状態）ではレンズや撮像素子を微少量駆動させてもコントラストの変化が生じにくいために大ボケ状態に弱い、などの問題も有る。また、デジタル方式の一眼レフカメラでは、通常、ミラーやシャッタにより露光時以外は撮像素子は遮光されており、構造上コントラスト方式ＡＦの採用が困難である。
【特許文献１】特公平０７−０７４８５５号公報
【特許文献２】特許第０２８２１２１４号公報
【特許文献３】特開平５−６４０５６号公報
【特許文献４】特開２００１−２８１５３０号公報
【発明の開示】
【発明が解決しようとする課題】
【０００６】
ＴＴＬ位相差方式とコントラスト方式のお互いの弱点を補完するために、双方のＡＦ方式を組み合わせ、まずＴＴＬ位相差方式で概略の合焦位置に合わせた後に、コントラスト方式で精度良く合焦位置を撮像面と一致させるという技術が提案されている。また、コントラスト方式での合焦結果をＴＴＬ位相差方式にフィードバックしてＴＴＬ位相差方式の精度を向上させる技術も提案されている。特許文献３および４はそのような公知例である。
【０００７】
まず、ＴＴＬ位相差方式で合焦させた後にコントラスト方式ＡＦを行うことにより、コントラスト方式の、合焦までに時間が掛かる、大ボケ状態で合焦方向の判別が困難、などの弱点などが解消される。また、ＴＴＬ位相差方式の後にコントラスト方式ＡＦを行うことで合焦面と撮像面を完全に一致させることができる。
【０００８】
しかしながら、デジタルカメラにおいては、輝度を示す信号値の範囲に制限が有るため、露出条件によっては、明部分の信号値がその最大値に張り付く、いわゆる白飛びという現象が発生する。白飛びが発生した部分については実際の輝度状態が反映できなくなるため、正しいコントラストが求まらず、そのため、白飛びが発生している領域でコントラスト方式ＡＦを行うとその測距結果に狂いが生じることがある。
【０００９】
図９は白飛びを起こすような露出不適正状態でのコントラスト方式ＡＦの動作を説明するための図である。
【００１０】
たとえば、図９（ａ）に示すような黒地に白の二本の線が書かれているようなハイコントラストのテスト用チャートを用いてコントラストＡＦを行う場合を考える。
【００１１】
このチャートに対して明部が白飛びしないように露出を決めた場合の横方向の輝度値変化を表したものが図９（ｂ）である。図９（ｂ）のように白飛びを起こさない場合はコントラストＡＦで正しいＡＦが行える。
【００１２】
しかし、一般的に撮影時の露出決定は、画面全体の平均値がある所定の値になるよう決定される。図９（ａ）のように黒い部分が多い被写体の場合にこの方法で露出条件を決定すると、黒部分が多いために露光量を多くするように制御される。そうすると、白部分が白飛びを起こすことになる。このように露出制御された場合の横方向の輝度変化を図９（ｃ）に示す。白飛びのために、明部分が輝度値の最大値側に張り付いてしまい、正しいコントラスト値が得られなくなる。そのため、評価値のピーク位置にレンズを制御しても、本当の合焦位置と合わないという現象が発生することがある。
【００１３】
撮影時の露出決定には、上記の平均測光以外に、画面の一部を基準にする部分測光、画面内の位置に応じて重み付けを行う評価測光などの方式があるが、ハイコントラストで黒い部分が多い被写体に対しては、いずれも明部分が白飛びをしやすい傾向を示す。
【００１４】
従来技術に関しては、特許文献３では、どのような露出制御が行われるかについての記載が無く、上記の課題を回避できない。
【００１５】
特許文献４では、一眼レフ方式のデジタルカメラであって、位相差方式のＡＦ動作後に露出決定を行うことが開示されている。ただし、撮影時と同露光条件でコントラスト方式ＡＦできる点がメリットという旨の記載が有り、コントラストＡＦ用に撮影時と別の露出決定を行うような記載は無い。上記のように撮影時と同露光条件でコントラストＡＦを行うのでは、シーンによっては、白飛びが発生し、正しい合焦位置が求まらないという問題を解決できない。
【００１６】
従って、本発明は上述した課題に鑑みてなされたものであり、その目的は、ＴＴＬ位相差方式とコントラスト方式の二方式のＡＦが実行可能である一眼レフタイプのデジタルカメラにおいて、コントラスト方式における誤測距の可能性を減少させることである。
【課題を解決するための手段】
【００１７】
上述した課題を解決し、目的を達成するために、本発明に係わる撮像装置は、撮影レンズにより結像された被写体像を光電変換して画像信号を出力する撮像素子と、前記被写体像を２つの像に分割するための光学系により分割された前記２つの像の位相差に基づいて、前記撮影レンズを合焦位置に調節する第１のオートフォーカス手段と、前記撮像素子から出力される画像信号のコントラストに基づいて、前記撮影レンズを合焦位置に調節する第２のオートフォーカス手段と、前記撮像素子により撮影を行なうための前記撮像素子の露光条件である第１の露光条件を設定する第１の露光条件設定手段と、前記第２のオートフォーカス手段によりオートフォーカスを行なうための前記撮像素子の露光条件である第２の露光条件を設定する第２の露光条件設定手段と、前記第１のオートフォーカス手段により前記撮影レンズを合焦位置に調節した後に、前記第２の露光条件設定手段により設定された第２の露光条件により前記撮像素子を露光して前記第２のオートフォーカス手段によるオートフォーカス動作を行なうように、前記第１のオートフォーカス手段と前記第２のオートフォーカス手段を制御する制御手段と、を具備することを特徴とする。
【００１８】
また、本発明に係わる撮像装置の制御方法は、撮影レンズにより結像された被写体像を光電変換して画像信号を出力する撮像素子と、前記被写体像を２つの像に分割するための光学系により分割された前記２つの像の位相差に基づいて、前記撮影レンズを合焦位置に調節する第１のオートフォーカス手段と、前記撮像素子から出力される画像信号のコントラストに基づいて、前記撮影レンズを合焦位置に調節する第２のオートフォーカス手段と、前記撮像素子により撮影を行なうための前記撮像素子の露光条件である第１の露光条件を設定する第１の露光条件設定手段と、前記第２のオートフォーカス手段によりオートフォーカスを行なうための前記撮像素子の露光条件である第２の露光条件を設定する第２の露光条件設定手段とを備える撮像装置を制御する方法であって、前記第１のオートフォーカス手段により前記撮影レンズを合焦位置に調節した後に、前記第２の露光条件設定手段により設定された第２の露光条件により前記撮像素子を露光して前記第２のオートフォーカス手段によるオートフォーカス動作を行なうように、前記第１のオートフォーカス手段と前記第２のオートフォーカス手段を制御する制御工程を具備することを特徴とする。
【００１９】
また、本発明に係わるプログラムは、上記の制御方法をコンピュータに実行させることを特徴とする。
【００２０】
また、本発明に係わる記憶媒体は、上記のプログラムを記憶したことを特徴とする。
【発明の効果】
【００２１】
本発明によれば、ＴＴＬ位相差方式とコントラスト方式の二方式のＡＦが実行可能である一眼レフタイプのデジタルカメラにおいて、コントラスト方式における誤測距の可能性を減少させることが可能となる。
【発明を実施するための最良の形態】
【００２２】
以下、本発明の好適な実施形態について、添付図面を参照して詳細に説明する。
【００２３】
（第１の実施形態）
図１は、本発明の第１の実施形態のデジタルカメラの構成を示すブロック図である。
図１に示すように、デジタルカメラ２００には、撮影レンズ１００が不図示のマウント部のレンズ装着機構を介して着脱可能に取り付けられる。マウント部には、電気接点ユニット１０７が設けられている。デジタルカメラ２００は、撮影レンズ１００とこの電気接点ユニット１０７を介して通信を行い、撮影レンズ１００内のフォーカスレンズ１０１および光量を調節する絞り１０２の駆動を制御する。なお、図１には、撮影レンズ１００内のレンズとしてフォーカスレンズ１０１のみを示しているが、このほかに変倍レンズや固定レンズが設けられ、これらを含めてレンズユニットが構成されている。
【００２４】
不図示の被写体からの光束は、撮影レンズ１００内のフォーカスレンズ１０１を含むレンズユニットおよび絞り１０２を介して、デジタルカメラ２００内のクイックリターンミラー２０３に導かれる。クイックリターンミラー２０３は、撮影光路内に光軸に対して斜めに配置されて、被写体からの光束を上方のファインダー光学系に導く第１の位置（図示した位置）と、撮影光路外に退避する第２の位置とに移動が可能である。
【００２５】
クイックリターンミラー２０３の中央部はハーフミラーになっており、クイックリターンミラー２０３が第１の位置にダウンしているときには、被写体からの光束の一部がこのハーフミラー部を透過する。そして、この透過した光束は、クイックリターンミラー２０３の背面側に設けられたサブミラー２０４で反射され、焦点検出回路２０６とともに自動焦点調整ユニットを構成する位相差ＡＦセンサ２０５に導かれる。焦点検出回路２０６は、位相差ＡＦセンサ２０５を用いて、後述する図４に示すように焦点状態の検出を行なう。具体的には、撮影画面内の複数の領域（焦点検出エリア：焦点検出領域）のうち、使用者又は後述するシステムコントローラ２３０により選択された焦点検出エリアで撮影レンズ１００の焦点状態の検出（焦点検出）を行う。
【００２６】
一方、クイックリターンミラー２０３で反射された光束は、ピント面に存在するファインダースクリーン２０２、ペンタプリズム２０１、及び接眼レンズ２０７により構成されるファインダー光学系を介して撮影者の目に至る。
【００２７】
また、クイックリターンミラー２０３が第２の位置にアップした際には、撮影レンズ１００からの光束は、機械シャッタであるフォーカルプレーンシャッタ２１０および光学フィルタ２１１を介して撮像素子２１２に至る。この撮像素子２１２は、ＣＣＤやＣＭＯＳセンサ等により代表されるイメージセンサである。光学フィルタ２１１は、赤外線をカットして可視光線のみを撮像素子２１２へ導く機能と、光学ローパスフィルタとしての機能とを有する。
【００２８】
また、フォーカルプレーンシャッタ２１０は、先幕および後幕を有して構成されており、撮影レンズ１００からの光束の透過および遮断を制御する。
【００２９】
なお、クイックリターンミラー２０３が第２の位置にアップしたときには、サブミラー２０４もクイックリターンミラー２０３に対して折り畳まれて撮影光路外に退避する。
【００３０】
また、本実施形態のデジタルカメラ２００は、当該デジタルカメラ全体の制御を司るシステムコントローラ２３０を有する。システムコントローラ２３０は、ＣＰＵやＭＰＵ等により構成され、後述する各回路等の動作を制御する。
【００３１】
システムコントローラ２３０は、電気接点ユニット１０７を介して、撮影レンズ１００内のレンズ制御回路１０４および絞り制御回路１０６に対して通信を行う。レンズ制御回路１０４は、システムコントローラ２３０からの信号に応じて、フォーカスレンズ１０１を光軸方向に駆動してピント合わせを行うレンズ駆動機構１０３を制御する。レンズ駆動機構１０３は、ステッピングモータやＤＣモータを駆動源として有する。
【００３２】
また、絞り制御回路１０６は、システムコントローラ２３０からの信号に応じて、絞り１０２を駆動する絞り駆動機構１０５を制御する。
【００３３】
また、システムコントローラ２３０は、シャッタ制御回路２１５と測光回路２０９とにも接続されている。シャッタ制御回路２１５は、システムコントローラ２３０からの信号に応じて、フォーカルプレーンシャッタ２１０の先幕および後幕の走行駆動を制御する。
【００３４】
また、システムコントローラ２３０には、デジタルカメラ２００を制御する上で調整が必要なパラメータや、デジタルカメラ個体の識別を行うための固有の情報であるカメラＩＤ（識別）情報が記憶されたＥＥＰＲＯＭ（記憶手段）２２３も接続されている。ＥＥＰＲＯＭ２２３には、基準レンズ（本デジタルカメラの工場での調整時に用いられる撮影レンズ）を用いて調整された、撮影に関するパラメータの調整値等も記憶されている。
【００３５】
測光回路２０９は、接眼レンズ２０７の近傍に配設された測光センサ２０８に接続されており、測光センサ２０８を通じて被写体の輝度を測定する。測光回路２０９の測定結果は、システムコントローラ２３０へ送られる。
【００３６】
ここで、測光センサ２０８は、後述する図４に示すように、撮影画面内の複数の測光エリアで測光ができるように分割されている。
【００３７】
また、システムコントローラ２３０は、レンズ駆動機構１０３を制御することにより、被写体像をイメージセンサ２１２上に結像させる。また、システムコントローラ２３０は、設定されたＡｖ値に基いて、絞り駆動機構１０５を制御し、さらに、設定されたＴｖ値に基いてシャッタ制御回路２１５に制御信号を出力する。
【００３８】
フォーカルプレーンシャッタ２１０の先幕、後幕は、駆動源がバネにより構成されており、シャッタ走行後、次の動作のためにバネチャージを要する。シャッタチャージ機構２１４は、このバネチャージを制御する。また、ミラー駆動機構２１３によりクリックリターンミラー２０３のアップダウン駆動が行われる。
【００３９】
また、システムコントローラ２３０には、カメラＤＳＰ２２７が接続されている。このカメラＤＳＰ２２７は、ＤＳＰ（デジタル信号プロセッサ）により構成される補正データサンプル回路及び補正回路である。そして、撮像素子２１２の制御、および撮像素子２１２から入力された画像データの補正や加工などをシステムコントローラ２３０の指令に基いて実行する。画像データの補正・加工の項目の中には、オートホワイトバランスも含まれている。
【００４０】
オートホワイトバランスとは、撮影画像中の最大輝度部分を所定の色（白色）に補正する機能である。オートホワイトバランスについては、システムコントローラ２３０からの命令により補正量を変更することが可能である。
【００４１】
カメラＤＳＰ２２７には、タイミングジェネレータ２１９、セレクタ２２２を介してＡ／Ｄコンバータ２１７、ビデオメモリ２２１、ワークメモリ２２６が接続されている。
【００４２】
撮像素子２１２からの電気信号は、ＣＤＳ／ＡＧＣ回路２１６により、既知の相関二重サンプリング等の方法によりリセットノイズ等が除去されるとともに、所定の信号レベルまで増幅される。ＣＤＳ／ＡＧＣ回路２１６の出力信号は、各画素毎に順にＡ／Ｄコンバータ２１７で所定のデジタル信号に変換される。
【００４３】
ここで、撮像素子２１２は、全体の駆動タイミングを決定しているタイミングジェネレータ２１９からの信号に基づき、各画素毎の水平駆動並びに垂直駆動のためのドライバ回路２１８からの出力で駆動されることにより、画像信号を出力する。同様に、撮像素子２１２から出力される画像信号をアナログ的に処理して所定の信号レベルに変換するＣＤＳ／ＡＧＣ回路２１６、およびＡ／Ｄコンバータ２１７も、タイミングジェネレータ２１８からのタイミング信号に基づいて動作する。
【００４４】
Ａ／Ｄコンバータ２１７からの出力は、システムコントローラ２３０からの信号に基づいて信号を選択するセレクタ２２２を介してメモリコントローラ２２８に入力され、フレームメモリであるＤＲＡＭ２２９に全て転送される。
【００４５】
撮影動作終了後、メモリコントローラ２２８の制御により、撮影データを記憶しているＤＲＡＭ２２９の内容を、セレクタ２２２を介してカメラＤＳＰ２２７に転送する。このカメラＤＳＰ２２７は、ＤＲＡＭ２２９に記憶されている各撮影データの各画素データを基に、ＲＧＢの各色信号を生成する。
【００４６】
ビデオカメラやコンパクトデジタルカメラでは、撮影前状態時に、この結果をビデオメモリ２２１に定期的（各フレーム毎）に転送することで、モニタ表示部２２０によりファインダー表示（ライブビュー）等を行っている。一眼レフ方式のデジタルカメラでは、通常、撮影前時点ではクイックリターンミラー２０３やフォーカルプレーンシャッタ２１０により撮像素子２１２は遮光されているため、ライブビューは行えない。しかし、クイックリターンミラー２０３をアップして撮影光路より退避させてからフォーカルプレーンシャッタ２１０を開いた状態にすることで、ライブビュー動作が可能となる。また、ライブビュー表示時に撮像素子からの画像信号をカメラＤＳＰ２２７もしくはシステムコントローラ２３０が処理することでコントラスト評価値を得ることができ、この評価値を用いてコントラスト方式のＡＦを行うことが可能である。
【００４７】
撮影時には、システムコントローラ２３０からの制御信号によって、１フレーム分の各画素データをＤＲＡＭ２２９から読み出し、カメラＤＳＰ２２７で画像処理を行ってから、一旦、ワークメモリ２２６に記憶する。そして、ワークメモリ２２６のデータを圧縮・伸張回路２２５で所定の圧縮フォーマットに基づいて圧縮し、その結果を外部不揮発性メモリ（外部メモリ）２２４に記憶する。外部不揮発性メモリ２２４として、通常、フラッシュメモリ等の不揮発性メモリを使用する。また、ハードディスク、磁気ディスクなどであってもよい。
【００４８】
また、撮影済みの画像データを観察する場合、外部不揮発性メモリ２２４に圧縮・記憶されたデータを、圧縮・伸張回路２２５を通じて通常の撮影画素毎のデータに伸張し、その結果をカメラＤＳＰ２２７に接続されているビデオメモリ２２１に転送する。これにより、モニタ表示回路２２０を通じて表示を行うことができる。
【００４９】
さらに、システムコントローラ２３０には、動作表示回路２３１と、レリーズスイッチＳＷ１（２３３）と、レリーズスイッチＳＷ２（２３４）が接続されている。また、位相差ＡＦのみを行う通常撮影モードと、位相差ＡＦおよびコントラスト方式ＡＦを併用する高精度ＡＦモードを切り替えるＡＦモードＳＷ（２３５）、その他の撮影モードなどの設定や各種の選択を行うための操作スイッチ類２３２も接続されている。
【００５０】
動作表示回路２３１は、上記各スイッチ類により設定又は選択されたカメラの動作状態を、液晶素子やＬＥＤ（発光ダイオード）、有機ＥＬ等の表示素子により表示する。
【００５１】
レリーズスイッチＳＷ１（２３３）は、測光・焦点検出などの撮影準備動作を開始させるためのスイッチである。レリーズスイッチＳＷ２（２３４）は、撮影動作（静止画像を取得するための電荷蓄積および電荷読み出し動作）を開始させるためのスイッチである。
【００５２】
一方、撮影レンズ１００において、レンズ制御回路１０４には、撮影レンズ１００の焦点距離や開放絞り値等の性能情報、撮影レンズ１００を識別するための固有の情報であるレンズＩＤ（識別）情報を記憶するメモリ（図示せず）が設けられている。このメモリには、システムコントローラ２３０から通信により受け取った情報も記憶される。なお、性能情報およびレンズＩＤ情報は、デジタルカメラ２００への装着時における初期通信により、システムコントローラ２３０に送信され、システムコントローラ２３０はこれらをＥＥＰＲＯＭ２２３に記憶させる。
【００５３】
次に、本実施形態における位相差ＡＦセンサの測距点と測光センサと測光範囲の対応について述べる。
【００５４】
図４は、本実施形態における自動焦点検出及び調節に用いられる位相差ＡＦセンサ２０５の測距点配置、および測光センサ２０８の測光エリアの対応を示すための図である。
【００５５】
図４（ａ）は焦点検出用の各ラインセンサの配置を示した図であり、図４（ｂ）は焦点検出領域の被写界（ファインダー）内での配置を示したものである。後述するが位相差ＡＦ方式では一対の受光素子を用いる。よって、図４（ａ）、図４（ｂ）に示したように２本のラインセンサ１組でひとつの領域の焦点検出を行っている。センサの中央領域は４本２組のラインセンサが設けられており、ファインダー中央部では縦、横両方向に対応した焦点検出が可能である。
【００５６】
図４（ｃ）、（ｄ）は自動露出調節用の測光センサ２０８の測光エリアを示す概略図であり、図４（ｃ）は分割測光を実現する分割したセンサ領域を示し、図４（ｄ）はファインダー内での各分割測光領域を示している。この例では、図４（ｃ）、（ｄ）のようにファインダー内を縦方向に７分割、横方向に５分割した計３５分割に等分割した分割測光方式を採用している。
【００５７】
図４（ｅ）は、上記の測距及び測光センサの検出領域がファインダー内でどのように相対的な位置関係になるかを示した図である。図４（ｅ）のように、多点焦点検出領域及び分割測光領域の各中央領域を中心に、分割測光領域で表すと中央領域の上下に１つずつ、中央領域の左右にそれぞれ２つずつ、の計７領域が焦点検出、測光の両方が行われる領域である。
【００５８】
図４（ｆ）は上記７つの分割測光領域を示している。これらは連続した領域で構成されており、測距結果に従って７つの分割測光領域から、主被写体が存在していると思われる１つの焦点検出領域（以下、主被写体焦点検出領域と言う）を選択して自動露出制御を行うこととなる。複数の焦点検出領域から主被写体焦点検出領域を選択し、この主被写体焦点検出領域に対応する測光領域において検出された測光値に最も大きな第１の重み付けを行なう。また、この第１の重み付けが行われる測光領域に隣接する周辺の測光領域において検出された測光値に第１の重み付けよりも小さな第２の重み付けを行う。さらに、残った測光領域において検出された測光値に第１、２の重み付けよりも小さい第３の重み付けを行う。このようにして重み付けを行った測光値を用いてシステムコントローラ２３０により露出制御値を演算することにより、主被写体の測光値を優先することができ、撮影者の希望する露出が行われる撮影をすることができる。
【００５９】
ここで注意すべきことは、主被写体焦点検出領域に対応する測光領域の値のみを使って撮影時の露出を決めるのではない、ということである。主被写体焦点検出領域に対応した測光領域の測光値は最大の重み付けがされるが周辺の測光領域や残った測光領域の測光値も加味されて撮影用の露出は決定される。このため、主被写体焦点検出領域に対してコントラスト方式ＡＦを行うときに、撮影用に決定された測光値をもってコントラスト方式ＡＦ時の露出条件を決めると、コントラスト方式ＡＦの誤測距が起きる可能性がある。これは、たとえば周辺がアンダーで主被写体が明るいシーンのような場合では、明るい主被写体のみに合わせて露出が決定されるわけではないので、主被写体が飽和し白飛びを起こす可能性があるからである。
【００６０】
次に、本実施形態の位相差ＡＦ方式のデフォーカス量（ピント位置ずれ量）の検出原理について図５および図６を用いて説明する。
【００６１】
図５及び図６に示すように、撮像素子上にピントが合っているとき、ＡＦセンサである一対の受光素子（ラインセンサ）上の２像の間隔はある決まった値をとる。この値は設計上求めることができるが、実際には、部品の寸法、バラツキや組立て上の誤差によって設計値と同じとはならない。したがって、この２像間隔（基準２像間隔Ｌｏ）はカメラの個体ごとに僅かに異なり、実際にカメラの固体ごとに測定しなければこの基準２像間隔Ｌｏを正確に求めることは困難である。図５より明らかなように、この基準２像間隔Ｌｏより２像間隔が狭ければ、撮影レンズはいわゆる前ピン状態であり、Ｌｏより広ければ、いわゆる後ピン状態である。
【００６２】
図６は、位相差ＡＦセンサ２０５からコンデンサレンズを省いたモデルを示した図である。この図に示すように、位相差ＡＦセンサ２０５に入射する主光線の角度をθ、セパレータレンズの倍率をβ、像の移動量をΔＬ，ΔＬ’とすると、デフォーカス量ｄは以下の式で求まる。
【００６３】
ｄ＝ΔＬ／ｔａｎθ＝ΔＬ’／βｔａｎθ
ここで、βｔａｎθは、位相差ＡＦセンサ２０５の設計上定まるパラメータである。また、ΔＬ’は、基準２像間隔（Ｌｏ）と現在の２像間隔（Ｌｘ）から求めることができる。
【００６４】
位相差ＡＦセンサ２０５は、図４で説明したように撮影画面内の複数の焦点検出エリアで焦点検出ができるように、上記構成を複数備えている。
【００６５】
オートフォーカス制御機能の製造時（工場出荷時）の調整では、あらかじめピント位置が分かっている基準レンズを用いる。そして、ピント位置が撮像素子２１２の撮像面の位置（撮像素子の組み付け誤差に依存する）にくるように、位相差ＡＦセンサ２０５から得られる２像間隔の値をＡＦピント補正パラメータの調整値としてＥＥＰＲＯＭ２２３に記憶させるようにしている。
【００６６】
しかし、デジタルカメラに取り付けられる撮影レンズが変わると、撮影レンズ自体の製造誤差によりピント位置にばらつきが生じる。そこで、後述するように、コントラスト方式ＡＦを併用することでより高精度かつ撮影レンズによらないピント合わせが可能となる。
【００６７】
次に本実施形態のコントラスト方式ＡＦの概要について図７を用いて簡単に説明する。
【００６８】
コントラスト方式ＡＦは、ビデオカメラやコンパクトデジタルカメラなどの映像機器に使用されている自動焦点検出方式である。この方式では、ＣＣＤやＣＭＯＳなどの撮像素子からの映像信号中の高周波成分を焦点信号として抽出し、この焦点信号（合焦評価値）が最大となるように、撮像光学系のフォーカシングレンズを駆動制御して合焦位置に移動させるものである。この方式は山登り方式、またはＴＶ−ＡＦ方式と呼ばれ、焦点調節用の特殊な光学部材が不要であり、遠方でも近くでも距離に依存せずに正確にピント合わせを行うことができるという長所がある。
【００６９】
図７はコントラスト方式ＡＦによる焦点検出の説明図であり、大ボケ状態ではフォーカシングレンズを高速で移動し、評価値が大きくなる場合はそのまま同一方向に移動し続ける。また、評価値が小さくなる場合は反対方向に移動して、常に焦点信号による合焦評価値が大きくなるようにフォーカシングレンズを移動する。そして、焦点信号が所定値を越えた場合には、フォーカシングレンズの移動速度を小さくし、ゆっくりと山登りを行って、合焦評価値が最大となるＡ点で撮像レンズの移動を停止する。
【００７０】
コントラスト方式ＡＦは常時ピントが合うようにレンズを駆動することができ、動画やライブビューに向いた制御方式である。しかし、静止画の場合は、合焦位置を含むと予想される所定範囲を、合焦評価値を取り込みながら撮影レンズを駆動制御し、所定範囲内の駆動を終了した時点で合焦評価値のピークを記録したレンズ位置に戻すような制御をして合焦させることも可能である。
【００７１】
次に本実施形態のデジタルカメラの動作について説明する。まず、図２を用いて、ＡＦモードの選択のシークエンスを説明する。このシークエンスは、システムコントローラ２３０がプログラムに従って実行するものである。なお、後述する各シークエンスについても同様である。
【００７２】
本実施形態では、位相差ＡＦのみを行う通常ＡＦモードと、位相差ＡＦとコントラスト方式ＡＦを併用して位相差ＡＦの誤差を減らした高精度ＡＦモードとの二種のＡＦモードを備えている。
【００７３】
ＡＦモード選択のシークエンスが開始されると、まずシステムコントローラ２３０は、ステップＳ１０１においてＡＦモードＳＷ２３５の状態を読み込む。読み込んだＳＷの状態は、ステップＳ１０２において、システムコントローラ２３０がそのチップ上に内蔵しているＲＡＭ上に記憶されている前回読み込んだＡＦモードＳＷ２３５の状態と比較される。
【００７４】
ＸＯＲをとるなどして変化したことが確認できたなら（ステップＳ１０３）、ステップＳ１０４に進み、今回読み込んだＡＦモードＳＷ２３５の状態を新たなＡＦモードＳＷ２３５の状態としてシステムコントローラ２３０上のＲＡＭに記憶する。ステップＳ１０３において変化が検出できなかったならＡＦモード選択のシークエンスを終了する。
【００７５】
変化が有った場合はステップＳ１０４の後、新たなＡＦモードが通常ＡＦモードかどうかの判断を行う（ステップＳ１０５）。その結果に応じて通常ＡＦモードであることをＲＡＭ（システムコントローラ２３０が内蔵している）上に記憶するか（ステップＳ１０６）、あるいは高精度ＡＦモードであることをＲＡＭ上に記憶する（ステップＳ１０７）。そして、ＡＦモード選択のシークエンスを終了する。
【００７６】
次に図３を用いて、本実施形態のＳＷ１のｏｎから撮影にいたるシークエンスについて説明する。
【００７７】
スイッチＳＷ１（２３３）がｏｎされるとデジタルカメラ２００の撮影準備シークエンスがスタートする。まず、ステップＳ２０１において、位相差ＡＦによる測距動作が行われる。撮影レンズ１００を通過した光束がクイックリターンミラー２０３のハーフミラー部を通過し、サブミラー２０４で反射されて位相差ＡＦセンサ２０５に入射する。焦点検出回路２０６で読み出された測距用像信号は、システムコントローラ２３０によって読み出され、既に説明した位相差ＡＦの原理に従って演算され、合焦動作に必要なピントずれ量が算出される。また、測距点の自動選択モードの場合は、複数測距点の測距結果より、主被写体が存在すると思われる測距点が選択される。測距点選択のアルゴリズムについては多種の技術が公知であるが、簡単には最も近距離の結果を出した測距点を主被写体測距点として選択する方法が有る。
【００７８】
次に、ステップＳ２０２において、ステップＳ２０１において算出されたピントズレ量に応じて、システムコントローラ２３０は、電気接点ユニット１０７を通じて、交換レンズ１００に対して、合焦するためのレンズ駆動量を通信により送信する。交換レンズ１００は、指示されたレンズ駆動量を受け取ると、その駆動量に応じてレンズ制御回路１０４を通じて、レンズ駆動機構１０３に働きかけ、フォーカスレンズ１０１を指定されたレンズ駆動量だけ駆動する。
【００７９】
次に、ステップＳ２０３において、システムコントローラ２３０は測光センサ２０８、測光回路２０９を用いて、撮影用の測光動作を行う。このとき、前述したように選択された測距点に対して重み付けされた測光動作が行われ、撮影用の絞り、シャッタ速度を決定するための測光値が算出される。そして、それはシステムコントローラ２３０内のＲＡＭ上に保存される。
【００８０】
次にステップＳ２０４に進み、スイッチＳＷ１（２３３）がｏｎ状態のままかどうかがチェックされる。スイッチＳＷ１（２３３）がｏｆｆされた場合には、撮影準備動作を終了して、スイッチが押されるまで待機状態に移行する。
【００８１】
スイッチＳＷ１（２３３）がｏｎの状態の場合は、次のステップＳ２０５に進み、スイッチＳＷ２（２３４）がｏｎしたかどうかをチェックする。スイッチＳＷ２（２３４）がｏｆｆ状態の場合は、ステップＳ２０４に戻り、ＳＷ１（２３３）とＳＷ２（２３４）の状態のチェックを繰り返す。ＳＷ２（２３４）がｏｎされた場合は、ステップＳ２０６以降の撮影動作のシークエンスに進む。
【００８２】
ステップＳ２０６では、システムコントローラ２３０の指令により、ミラー駆動機構２１３により、まずクイックリターンミラー２０３が撮影用の位置へ跳ね上げられる。また同時にサブミラー２０４もクイックリターンミラー２０３に連動して撮影用の待機位置にたたまれる。
【００８３】
次に、ステップＳ２０７に進み、システムコントローラ２３０は内蔵されているＲＡＭ上のデータを読み出し、先に説明したＡＦモード選択シークエンスによって、現在ＡＦモードがどのモードに設定されているかを判断する。通常ＡＦモードに設定されている場合には、ステップＳ２１６に進み、絞り駆動（ステップＳ２１６）、シャッタ開（ステップＳ２１７）、撮像素子露光（ステップＳ２１８）、シャッタ閉（ステップＳ２１９）という一連の通常撮影動作を行う。
【００８４】
ステップＳ２０７で、高精度ＡＦモードに設定されている場合は、ステップＳ２０８から始まるコントラストＡＦを行うシークエンスに入る。
【００８５】
ステップＳ２０８では、シャッタチャージ機構２１４によりチャージされたフォーカルプレーンシャッタ２１０が、システムコントローラ２３０の指令により、シャッタ制御回路２１５を通じて開放動作される。
【００８６】
次に、ステップＳ２０９に進み、コントラストＡＦ動作用の測光動作のために撮像素子２１２の蓄積動作を行う。蓄積時間については、コントラストＡＦは動画的な動作になるので、秒６０枚動作または秒３０枚動作を想定して、蓄積時間を１／６０秒または１／３０秒というように決めても良い。また、ステップＳ２０３で決定した撮影用測光値を元に初期蓄積時間を決定しても良い。
【００８７】
蓄積終了後、ステップＳ２１０に進み、システムコントローラ２３０は、カメラＤＳＰ２２７に対する指令により、タイミングジェネレータ２１９を駆動する。そして、ドライバー２１８、ＣＤＳ／ＡＧＣ回路２１６、Ａ／Ｄコンバータ２１７、セレクタ２２２、メモリコントローラ２２８などを使って、ＤＲＡＭ２２９上にコントラストＡＦに使用する範囲の撮像素子２１２に蓄積された画像情報を読み込む。
【００８８】
次のステップＳ２１１では、システムコントローラ２３０はステップＳ２１１で読み込んだ画像情報から、その輝度の最大値を算出し、それをあらかじめ定められた所定値と比較することで、焦点検出領域内に白飛び現象が起きているかどうかを確認する。輝度最大値が所定値よりも低ければ白飛び現象が無いと判断し、ステップＳ２１３に進む。そして、前述の公知のコントラスト方式ＡＦに基づいて、フォーカスレンズ１０１を微少駆動させながらコントラスト評価値をカメラＤＳＰ２２７やシステムコントローラ２３０が算出し、コントラスト評価値が最大となる箇所にレンズを停止させる。これにより、高精度のＡＦを行う。
【００８９】
ステップＳ２１１において、輝度最大値が所定値を越え、白飛び現象が起きていると判断されたなら、そのままではコントラスト方式ＡＦ結果の信頼性が低くなるため、ステップＳ２１２において、ＣＤＳ／ＡＧＣ回路２１６を調整しゲインを下げる。そして、ステップＳ２０９に戻り、以上のステップを白飛び現象が無くなるまで繰り返す。
【００９０】
コントラスト方式ＡＦ時には、ステップＳ２０１の位相差ＡＦの結果、または別途撮影者による手動選択により選択された測距点の近傍に対して、コントラスト方式ＡＦを行うことになる。このため、ステップＳ２０３における撮影用ＡＥが、測距点近傍に重み付けをしながら画面全体を参照して露出を決定しているのに対し、コントラスト方式ＡＦで露出を決める領域は測距に使用する測距点近傍のみとなり、測光に使用する領域が異なる。また、コントラスト方式ＡＦ用には評価値を算出する領域内で白飛びを起こさせないことが重要であるのに対し、撮影用ＡＥでは一部に高輝度被写体が存在しても画面全体で露出に破綻が無ければ、必ずしも白飛びが発生することが悪いと言えない。そのため、必要とされるアルゴリズムも異なってくる。従って、以上説明したように、コントラスト方式ＡＦ用の測光と撮影時用の測光を分けて行う必要が有る。
【００９１】
ここで、撮像素子２１２は各画素にＲ、Ｇ、Ｂいずれかの色フィルタが前面に配置されており、通常はいわゆるＢａｙｅｒ配列によって配置されている。
【００９２】
輝度Ｙは、色フィルタと撮像素子の特性により、たとえばこれらの特性が国際規格ＩＴＵ−Ｒ  ＢＴ．６０１に基づいていれば、次の式により求められる。
【００９３】
Ｙ＝０．２９９×Ｒ＋０．５８７×Ｇ＋０．１１４×Ｂ
ステップＳ２１３におけるコントラスト方式ＡＦが終了するとステップＳ２１４に進み、静止画撮影前に一度シャッタは閉じておく必要があるため、システムコントローラ２０３の指令により、シャッタ制御回路２１５を介してシャッタ閉動作が行われる。
【００９４】
次に、ステップＳ２１５において、今まで設定されていたコントラスト方式ＡＦ用の露光条件を廃棄し、ステップＳ２０３であらかじめ測定されていた撮影時用の露光条件への設定に戻す動作が実行される。
【００９５】
以上で、高精度ＡＦモードのコントラストＡＦ動作は終了し、次に撮影動作が行われる。
【００９６】
まず、ステップＳ２１６において、撮影時測光情報に基づいて、システムコントローラが電気接点ユニット１０７を通じて絞り値の指令を撮影レンズ１００側に送ることによって、絞り制御駆動回路１０６は絞り駆動機構１０５を駆動する。これによって、指令された絞り値まで絞り１０２が駆動される。
【００９７】
次に、ステップＳ２１７では、システムコントローラ２３０の指令により、シャッタチャージ機構２１４によりチャージされたフォーカルプレーンシャッタ２１０の開放動作がシャッタ制御回路２１５を通じて行われる。
【００９８】
次に、ステップＳ２１８において、撮像素子２１２の蓄積動作が行われる。
【００９９】
次に、ステップＳ２１９において、ステップＳ２０３であらかじめ決められたシャッタ速度に相当する時間経過後、システムコントローラ２３０の指令により、シャッタ制御回路２１５を通じてフォーカルプレーンシャッタ２１０の閉じ動作が行われる。
【０１００】
そして、ステップＳ２２０において、システムコントローラ２３０の指令により、ミラー駆動機構２１３を介してクイックリターンミラー２０３を撮影光路上に復帰させる。
【０１０１】
次に、ステップＳ２２１において、システムコントローラ２３０は、カメラＤＳＰ２２７に対する指令により、タイミングジェネレータ２１９を駆動する。そして、ドライバー２１８、ＣＤＳ／ＡＧＣ回路２１６、Ａ／Ｄコンバータ２１７、セレクタ２２２、メモリコントローラ２２８などを使って、ＤＲＡＭ２２９上に撮像素子２１２に蓄積された画像情報を読み込む。
【０１０２】
そしてステップＳ２２２において、システムコントローラ２３０は、カメラＤＳＰ２２７とともに、ＤＲＡＭ２２９上の画像情報に対して、ホワイトバランス、ガンマ処理、色変換、ＪＰＥＧなど所定フォーマットへの変換を行なう。さらに、サムネイル作成、ビデオメモリ２２１を通じてモニタ表示部２２０への撮影画像表示、ワークメモリ２２６、圧縮・伸張回路２２５での圧縮処理、そして不揮発性メモリ２２４への記録動作を行なう。これらの一連の動作が撮影後処理動作である。
【０１０３】
以上によりＳＷ１ ｏｎから撮影動作に至るまでのシークエンスが終了する。
【０１０４】
以上説明したように、高精度ＡＦモードが設定されている場合は、ＳＷ１のｏｎで位相差ＡＦ動作を行った後、ＳＷ２のｏｎでレリーズ動作に入ってから、撮像面によるコントラスト方式ＡＦによる合焦動作を行う。その後に撮影動作を行うことで、位相差ＡＦ単独の通常ＡＦモードよりも精度の高いフォーカシングを行うことができる。
【０１０５】
本実施形態では、高精度ＡＦモード時にＳＷ２のｏｎによりコントラスト方式ＡＦを起動する例を示したが、高精度ＡＦモード時にＳＷ２のｏｎを待たずに、ＳＷ１のｏｎで位相差ＡＦ後、ただちにコントラスト方式ＡＦ動作を行うようにしても良い。コントラスト方式ＡＦを行う際には、一眼レフタイプのデジタルカメラでは既に説明したようにミラーアップ、シャッタ開状態にする必要がある。その間、光学ファインダー像は消失するので、代わりにコントラスト方式ＡＦ中はモニタ表示２２０にてライブビュー表示を行わせても良い。コントラスト方式ＡＦ終了後、シャッタを閉じてからシャッタチャージを行い、クイックリターンミラー２０３をダウンさせ、その状態でＳＷ２のｏｎを待機するようにすればよい。
【０１０６】
また、本実施形態では高精度ＡＦモード時にコントラスト方式ＡＦを行う例を示した。しかし、撮影時とは別にキャリブレーションモードを設けて、コントラスト方式ＡＦを用いた高精度ＡＦを行い、位相差ＡＦとの誤差を補正値としてＥＥＰＲＯＭ２２３に記憶しておいてもよい。そして、通常撮影時にはその補正値により位相差ＡＦの誤差を補正する。その際には、コントラスト方式ＡＦの実行前に本実施形態と同様にして、コントラスト方式ＡＦ用の露光条件設定を行うようにする。
【０１０７】
（第２の実施形態）
第１の実施形態では、撮影画像内の評価値算出に用いる領域のハイライト部に着目して、ハイライト部の値を所定値以下になるようゲイン調整して白飛びを抑える例を示した。
【０１０８】
しかしながら白飛びを抑える手段はこれに限定されるものではない。より簡易的な手段によってもかまわず、第２の実施形態はそのような例である。
【０１０９】
図８は、第２の実施形態におけるＳＷ１のｏｎから撮影処理までのシークエンスを表すフローチャートである。
【０１１０】
図８において、図３と同一の動作を行うステップには同じ番号を付してある。また、同一動作ステップについては説明を省略する。
【０１１１】
第２の実施形態では、コントラスト方式ＡＦ用のＡＥ動作を行うステップ中、ステップＳ２１０のデータ読み込みの後、既にゲイン調整済みかどうかがステップＳ２３１においてチェックされる。
【０１１２】
ステップＳ２３１においてゲイン調整済みで無い場合は、白飛びが起きたかどうかを判断するステップＳ２１１に進む。既に調整済みの場合は、ステップＳ２１３に進み、コントラストＡＦ動作を行う。
【０１１３】
ステップＳ２１１で、白飛びが起きていないと判断された場合は、ステップＳ２１３のコントラストＡＦ動作に進む。一方、白飛びが起きていると判断された場合は、ステップＳ２３２に進み、ＣＤＳ／ＡＧＣ回路２１６でゲインを２段アンダー、すなわち１／４倍に設定する。
【０１１４】
コントラストＡＦ用のＡＥを行う際に、ステップＳ２０３の撮影用ＡＥの結果を基にコントラストＡＦの初期測光値を決めると、必ずしもコントラストＡＦ用ＡＥと撮影時ＡＥの結果は一致しない。しかし、同一シーンを見ているのであるから、大きく異なることもない。従って、本実施形態のように白飛び現象が発生した場合に、所定量のゲインダウン処理を行うことでほとんどの場合に白飛び現象を回避することが可能となる。
【０１１５】
このようにすることで、ほとんどの場合、第１の実施形態で説明したゲイン調整プロセスを省略でき、測距動作全体の時間短縮の効果が得られる。
【０１１６】
ゲインダウン量については、本実施形態では２段アンダーに設定する例を示したが、これに限定されるものではない。たとえば２．５段アンダーまたは３段アンダーに設定するようにしても良いことは言うまでもない。
【０１１７】
以上、図１から図８を用いて第１及び第２の実施形態の説明を行った。
【０１１８】
以上説明したように、上記の実施形態ではコントラスト方式ＡＦ用の露光条件設定を撮影用ＡＥとは独立して行うことで、コントラスト方式ＡＦが測距エリア内の白飛び現象に影響されないようにしている。また、白飛びが起こるかどうかは大ボケ状態では判定できないため、位相差ＡＦによって略合焦させた後に、白飛びしないようにコントラスト方式ＡＦ用の露光条件設定をするようにしている。
【０１１９】
なお、本発明においては、上記の実施形態で説明した以外にも種々の変形が可能である。
【０１２０】
例えば、本発明は上記の実施形態に示した位相差ＡＦセンサの配置や測光センサの測光エリア配置に限定されるものではない。
【０１２１】
また、実施形態の説明においては、コントラスト用の評価値算出や輝度値のピークホールド機能はカメラＤＳＰ２２７、もしくはシステムコントローラ２３０に持たせるように構成した。しかし、この機能は、別に専用のＩＣなどのハードウェアに担当させても良いことはいうまでもない。
【０１２２】
さらに上記以外に本発明の趣旨に沿った範囲でさまざまな変形例の形態をとってもかまわない。
【０１２３】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【０１２４】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【０１２５】
本発明を上記記憶媒体に適用する場合、その記憶媒体には、先に説明した手順に対応するプログラムコードが格納されることになる。
【図面の簡単な説明】
【０１２６】
【図１】本発明の第１の実施形態のデジタルカメラの構成を示すブロック図である。
【図２】第１の実施形態のデジタルカメラのＡＦモード選択シークエンスを説明するフローチャートである。
【図３】第１の実施形態のデジタルカメラのＳＷ１のｏｎから撮影までのシークエンスを説明するフローチャートである。
【図４】第１の実施形態の位相差ＡＦセンサの測距点と測光センサの測光エリアとの対応を示す図である。
【図５】第１の実施形態の位相差ＡＦの動作について説明する図である。
【図６】第１の実施形態の位相差ＡＦの動作について説明する図である。
【図７】第１の実施形態のコントラスト方式ＡＦの動作について説明する図である。
【図８】第２の実施形態のデジタルカメラのＳＷ１のｏｎから撮影までのシークエンスを説明するフローチャートである。
【図９】露出が不適正の場合のコントラスト方式ＡＦの動作について説明する図である。
【符号の説明】
【０１２７】
１００  撮影レンズ
１０１  フォーカスレンズ
２０５  位相差ＡＦセンサ
２１２  撮像素子
２２７  カメラＤＳＰ
２３０  システムコントローラ
【図１】
2007171298.tif 000003
【図２】
2007171298.tif 000004
【図３】
2007171298.tif 000005
【図４】
2007171298.tif 000006
【図５】
2007171298.tif 000007
【図６】
2007171298.tif 000008
【図７】
2007171298.tif 000009
【図８】
2007171298.tif 000010
【図９】
2007171298.tif 000011